(57)【要約】【課題】ファンモータとファンモータの運転を制御する制御装置とを備えた冷蔵庫に関し、ファンモータの周囲温度をより精密に測定することとファンモータのフィードバック制御のタイミングを効果的に行うことで、より確実に安定した冷却能力を確保した冷蔵庫を提供することを目的とする。【解決手段】ファンモータ回転数補正演算手段３３によりファンモータの回転数を制御するファンモータ回転数制御手段３４を備えた冷蔵庫において、冷凍室庫内温度センサ１０による温度検知手段３０を用いてファン回転数設定手段３２の目標回転数を補正することにより、冷凍室用ファンモータ９の周囲温度をより正確に検出することができるため、冷凍室用ファンモータ９の周囲温度の変動による回転数と設定回転数とのずれを抑えることができ、安定した冷却能力を確保することができる。【選択図】図７
2005156102.tif 000002
【特許請求の範囲】
【請求項１】
ファンモータと、庫内温度センサと、前記温度センサによる温度を検出する温度検知手段と、前記ファンモータの目標回転数を設定するファン回転数設定手段と、ファンモータの回転数を検出するファン回転数検出手段と、前記ファンモータのファン回転数設定手段と前記ファン回転数検出手段によりファンモータ回転数を補正し演算をするファンモータ回転数補正演算手段とを備え、前記ファンモータ回転数補正演算手段によりファンモータの回転数を制御するファンモータ回転数制御手段を備えた冷蔵庫において、庫内温度センサによる温度検知手段を用いてファン回転数設定手段の目標回転数を補正することを特徴とする冷蔵庫。
【請求項２】
ファンモータと、蒸発器温度センサと、前記温度センサによる温度を検出する温度検知手段と、前記ファンモータの目標回転数を設定するファン回転数設定手段と、ファンモータの回転数を検出するファン回転数検出手段と、前記ファンモータのファン回転数設定手段と前記ファン回転数検出手段によりファンモータ回転数を補正し演算をするファンモータ回転数補正演算手段とを備え、前記ファンモータ回転数補正演算手段によりファンモータの回転数を制御するファンモータ回転数制御手段を備えた冷蔵庫において、蒸発器温度センサによる温度検知手段を用いてファン回転数設定手段の目標回転数を補正することを特徴とする冷蔵庫。
【請求項３】
ファンモータと、庫内温度センサと、蒸発器温度センサと、前記温度センサによる温度を検出する温度検知手段と、前記ファンモータの目標回転数を設定するファン回転数設定手段と、ファンモータの回転数を検出するファン回転数検出手段と、前記ファンモータのファン回転数設定手段と前記ファン回転数検出手段によりファンモータ回転数を補正し演算をするファンモータ回転数補正演算手段とを備え、前記ファンモータ回転数補正演算手段によりファンモータの回転数を制御するファンモータ回転数制御手段を備えた冷蔵庫において、庫内温度センサと蒸発器温度センサによる温度検知手段を用いてファン回転数設定手段の目標回転数を補正することを特徴とする冷蔵庫。
【請求項４】
ファンモータと、温度検知手段と、前記ファンモータの目標回転数を設定するファン回転数設定手段と、ファンモータの回転数を検出するファン回転数検出手段と、前記ファンモータのファン回転数設定手段と前記ファン回転数検出手段によりファンモータ回転数を補正し演算をするファンモータ回転数補正演算手段とファンモータの回転数が正常であるかを判定するファンモータ回転数判定手段とを備え、前記ファンモータ回転数補正演算手段によりファンモータの回転数を制御するファンモータ回転数制御手段を備えた冷蔵庫において、前記ファンモータ回転数判定手段にて回転数が異常であると判定した時、一定時間経過後に再度ファン回転数検出手段により回転数の検出を行なうことを特徴とする冷蔵庫。
【請求項５】
一定時間経過後に再度ファン回転数検出手段により回転数の検出を行なう再検出動作を所定の回数行なうことを特徴とする請求項４記載の冷蔵庫。
【発明の詳細な説明】
【技術分野】
【０００１】
本発明は、ファンモータとファンモータの運転を制御する制御装置とを備えた冷蔵庫に関するものである。
【背景技術】
【０００２】
一般に従来の冷蔵庫は、断熱箱体の庫内が冷凍室や冷蔵室、野菜室で構成されており、各室の背方には冷却器と庫内ファンモータが設置され、冷却器からの冷気をファンモータが各室に循環して冷却を行っている。また、断熱箱体の下部には機械室が設けられ、前記冷却器と共に冷媒回路を構成する圧縮機や凝縮器と、この圧縮機や凝縮器を空冷する機械室ファンモータが設置されている。
【０００３】
そして近年では、各室内の温度に基づいて庫内ファンモータに印加する電圧、或いは凝縮器や圧縮機の温度に基づいて機械室ファンモータに印加する電圧等を可変して、各ファンモータの回転数を可変することにより、各温度に応じた適切な冷気循環、或いは、空冷を行っている。（例えば、特許文献１参照）
上記従来の冷蔵庫は、各ファンモータの回転数を検出する手段を備え、その検出結果に基づいて設定回転数にファンモータを調整するフィードバック制御を行って、より安定した冷却性能を確保することを目的としたものである。
【特許文献１】特開平１１−１０１５４２号公報
【発明の開示】
【発明が解決しようとする課題】
【０００４】
しかしながら、上記従来の冷蔵庫では、ファンモータのフィードバック制御のタイミングについては、具体的に示されていない。ファンモータは運転することにより温度が上昇するとともに、周囲温度によりファンモータの軸受けに給油されているオイル粘度も変化する。係る温度変化によってファンモータに加わる負荷が変わり、それに伴って回転数が変動する為に、フィードバック制御を行うタイミングが不適切であると、設定回転数を確保することが困難になり、結果として安定した冷却性能を得ることが出来ないという問題があった。また、ファンモータが運転している間、常にフィードバック制御を行うことは、ファンモータ制御の複雑化を招く。
【０００５】
本発明は、上記従来の課題を解決するもので、ファンモータの周囲温度をより精密に測定することとファンモータのフィードバック制御のタイミングを効果的に行うことで、より確実に安定した冷却能力を確保した冷蔵庫を提供することを目的とする。
【課題を解決するための手段】
【０００６】
上記従来の課題を解決するために、本発明の冷蔵庫は、ファンモータと、庫内温度センサと、前記温度センサによる温度を検出する温度検知手段と、前記ファンモータの目標回転数を設定するファン回転数設定手段と、ファンモータの回転数を検出するファン回転数検出手段と、前記ファンモータのファン回転数設定手段と前記ファン回転数検出手段によりファンモータ回転数を補正し演算をするファンモータ回転数補正演算手段とを備え、前記ファンモータ回転数補正演算手段によりファンモータの回転数を制御するファンモータ回転数制御手段を備えた冷蔵庫において、庫内温度センサによる温度検知手段を用いてファン回転数設定手段の目標回転数を補正するものである。
【０００７】
これによって、ファンモータの周囲温度をより正確に検出することができるため、ファンモータの周囲温度の変動による回転数と設定回転数とのずれを抑えることができる。
【０００８】
また、本発明の冷蔵庫は、前記制御装置を備えた冷蔵庫において、蒸発器温度センサによる温度検知手段を用いてファン回転数設定手段の目標回転数を補正するものである。
【０００９】
これによって、庫内温度の変化率が大きい時でも、庫内温度変化の影響を受けにくい蒸発器温度センサを用いることにより、ファンモータの周囲温度をより正確に検出することができるため、ファンモータの周囲温度の変動による回転数と設定回転数とのずれを抑えることができる。
【００１０】
また、本発明の冷蔵庫は、前記制御装置を備えた冷蔵庫において、庫内温度センサと蒸発器温度センサによる温度検知手段を用いてファン回転数設定手段の目標回転数を補正するものである。
【００１１】
これによって、庫内温度の変化率が大きい時には、庫内温度変化の影響を受けにくい蒸発器温度センサを用い、庫内温度の変化率が小さい時には、庫内温度センサを用いることにより、ファンモータの周囲温度をより正確に検出することができるため、ファンモータの周囲温度の変動による回転数と設定回転数とのずれを抑えることができる。
【００１２】
また、本発明の冷蔵庫は、前記制御装置において、ファンモータ回転数判定手段にて回転数が異常であると判定した時、一定時間経過後に再度ファン回転数検出手段により回転数の検出を行なうものである。
【００１３】
これによって、制御装置の簡素化を図りつつ、ファン回転数補正タイミング時に氷着による異常状態などでファンモータが回転していなかった場合でも、再度ファンモータが正常な動作に復帰した場合に、一定時間経過後に再度ファン回転数補正を行うことで、ファンモータの回転数補正精度を向上させることができる。
【００１４】
また、本発明の冷蔵庫は、前記制御装置において、一定時間経過後に再度ファン回転数検出手段により回転数の検出を行なう再検出動作を所定の回数行なうものである。
【００１５】
これによって、ファンモータの周囲温度と冷蔵庫庫内温度センサ温度との温度差が発生している時点でファン回転数補正を行わない様にすることができるので、よりファン回転数補正精度を向上させることができる。
【発明の効果】
【００１６】
本発明の冷蔵庫は、常時回転数のフィードバックをすることなく、制御ソフトを簡素化させて、ファンモータの周囲温度を庫内センサにより精密に測定することが可能になる。また、ファンモータの回転数補正制御のタイミングを効果的に行うことで、ファンモータの周囲温度の変動によるファンモータ回転数と設定回転数とのずれを抑えることができ、より確実に安定した冷却能力を確保した冷蔵庫を提供することができる。
【発明を実施するための最良の形態】
【００１７】
請求項１に記載の発明は、ファンモータと、庫内温度センサと、前記温度センサによる温度を検出する温度検知手段と、前記ファンモータの目標回転数を設定するファン回転数設定手段と、ファンモータの回転数を検出するファン回転数検出手段と、前記ファンモータのファン回転数設定手段と前記ファン回転数検出手段によりファンモータ回転数を補正し演算をするファンモータ回転数補正演算手段とを備え、前記ファンモータ回転数補正演算手段によりファンモータの回転数を制御するファンモータ回転数制御手段を備えた冷蔵庫において、庫内温度センサによる温度検知手段を用いてファン回転数設定手段の目標回転数を補正することにより、ファンモータの周囲温度をより正確に検出することができるため、ファンモータの周囲温度の変動による回転数と設定回転数とのずれを抑えることができる。
【００１８】
請求項２に記載の発明は、ファンモータと、蒸発器温度センサと、前記温度センサによる温度を検出する温度検知手段と、前記ファンモータの目標回転数を設定するファン回転数設定手段と、ファンモータの回転数を検出するファン回転数検出手段と、前記ファンモータのファン回転数設定手段と前記ファン回転数検出手段によりファンモータ回転数を補正し演算をするファンモータ回転数補正演算手段とを備え、前記ファンモータ回転数補正演算手段によりファンモータの回転数を制御するファンモータ回転数制御手段を備えた冷蔵庫において、蒸発器温度センサによる温度検知手段を用いてファン回転数設定手段の目標回転数を補正することにより、庫内温度の変化率が大きい時でも、ファンモータの周囲温度をより正確に検出することができるため、ファンモータの周囲温度の変動による回転数と設定回転数とのずれを抑えることができる。
【００１９】
請求項３に記載の発明は、ファンモータと、庫内温度センサと、蒸発器温度センサと、前記温度センサによる温度を検出する温度検知手段と、前記ファンモータの目標回転数を設定するファン回転数設定手段と、ファンモータの回転数を検出するファン回転数検出手段と、前記ファンモータのファン回転数設定手段と前記ファン回転数検出手段によりファンモータ回転数を補正し演算をするファンモータ回転数補正演算手段とを備え、前記ファンモータ回転数補正演算手段によりファンモータの回転数を制御するファンモータ回転数制御手段を備えた冷蔵庫において、庫内温度センサと蒸発器温度センサによる温度検知手段を用いてファン回転数設定手段の目標回転数を補正することにより、庫内温度の変化率が大きい時、庫内温度の影響を受けにくい蒸発器温度センサの検出温度を選択し、庫内温度の変化率が小さい時に庫内温度センサの検出温度を選択することで、より正確にファンモータの周囲温度を検出することができるため、ファンモータの周囲温度の変動による回転数と設定回転数とのずれを抑えることができる。
【００２０】
請求項４に記載の発明は、ファンモータと、温度検知手段と、前記ファンモータの目標回転数を設定するファン回転数設定手段と、ファンモータの回転数を検出するファン回転数検出手段と、前記ファンモータのファン回転数設定手段と前記ファン回転数検出手段によりファンモータ回転数を補正し演算をするファンモータ回転数補正演算手段と、ファンモータの回転数が正常であるかを判定するファンモータ回転数判定手段とを備え、前記ファンモータ回転数補正演算手段によりファンモータの回転数を制御するファンモータ回転数制御手段を備えた冷蔵庫において、前記ファンモータ回転数判定手段にて回転数が異常であると判定した時、一定時間経過後に再度ファン回転数検出手段により回転数の検出を行なうことにより、制御装置の簡素化を図りつつ、前記ファン回転数検出手段の回転数検出がファンのロックによる異常停止などで正しく行えない時、再度ファンモータが正常な動作に復帰した場合に、一定時間経過後に再度ファン回転数補正を行うことで、ファンモータの回転数補正精度を向上させることができる。
【００２１】
請求項５に記載の発明は、請求項４に記載の発明において、一定時間経過後に再度ファン回転数検出手段により回転数の検出を行なう再検出動作を所定の回数行なうことにより、ファンモータの周囲温度と庫内温度センサ温度とのずれが発生している時点で再検出動作を行わない。例えば電源投入開始からファンモータがロックした状態で停止していた場合に、３０秒毎に２０回の再検出動作後、このタイミングで冷凍室から冷蔵室に冷却回路が切り替わると、それ以降周囲温度と温度センサとの温度差が発生する。この時点以降でファンモータ回転数補正を行わない様にすることにより、誤った回転数補正を行わないことで、回転数制御の精度を向上させることができる。
【００２２】
以下、本発明の実施の形態について、図面を参照しながら説明する。なお、この実施の形態によってこの発明が限定されるものではない。
【００２３】
（実施の形態１）
図１は本発明の実施の形態１における冷蔵庫の風路構造を示す側面断面図である。
【００２４】
図１において、冷蔵庫本体１には、冷蔵室２、野菜室３、冷凍室５を配置し、冷凍室５を冷却するために冷凍室冷却風路７内には、冷凍室用蒸発器８と冷凍室用ファンモータ９が備え付けられている。また、冷凍室５の庫内には、冷凍室庫内温度センサ１０を備え、冷凍室用蒸発器８に近接して、冷凍室用蒸発器温度センサ１１が備え付けられている。
【００２５】
冷凍室用蒸発器８で冷却された冷気は、冷凍室用ファンモータ９により送風され、冷凍室５を循環する。
【００２６】
図２は、本発明の実施の形態の冷蔵庫制御装置のブロック図であり、図６は、同実施の形態の冷蔵庫制御装置の動作を説明するためのフローチャートである。
【００２７】
図２において、温度検出手段３０は、冷凍室庫内温度センサ１０により庫内温度を検出するのもである。また、ファン回転数検出手段３１は、冷凍室用ファンモータ９に内蔵されている冷凍室庫内温度センサ１０により冷凍室用ファンモータ９の回転数を検出するものである。ファン回転数設定手段３２は、前記検出温度から、目標となる冷凍室用ファンモータ９の回転数を設定するものである。
【００２８】
ファンモータ回転数補正演算手段３３は、冷凍室用ファンモータ９により検出された冷凍室用ファンモータ回転数とファン回転数設定手段３２により設定された所定の回転数との回転数差を演算し、所定の回転数に制御する補正値を演算するものである。この補正値を用いて、ファンモータ回転数制御手段３４によりファンモータの回転数を制御する。
【００２９】
以上のように構成された冷蔵庫の制御装置について、図２、図６を用いてその動作を説明する。
【００３０】
図６において、冷蔵庫１の電源投入時、まず温度検知手段３０により、冷凍室庫内温度センサ１０の検知温度を取り込み、この検知温度を冷凍室用ファンモータの代用周囲温度Ｔｓとする（Ｓｔｅｐ１）。次にこの冷凍室用ファンモータ代用周囲温度Ｔｓからファン回転数設定手段３２により、各温度帯ごとに決められている所定のファン回転数指令Ｎｒを決定し（Ｓｔｅｐ３）、ファン回転数検出手段３１より冷凍室用ファンモータのファン回転数Ｎｐを検出する（Ｓｔｅｐ４）。次にファン回転数指令Ｎｒと検出した冷凍室用ファンモータの回転数Ｎｐとの回転数差ΔＮ１（＝Ｎｒ−Ｎｐ）の演算を行い（Ｓｔｅｐ７）、回転数差ΔＮ１から補正電圧値を演算し、この電圧をファンモータ回転数制御手段３４により常時印加することで、冷凍室用ファンモータの回転数を調整する（Ｓｔｅｐ８）。その後は、補正電圧値を印加し続けたままで、通常の冷蔵庫運転制御状態での制御サイクルを繰り返し実施する。
【００３１】
以上のように、本実施の形態においては、冷凍室庫内温度センサ１０による検出温度をファンモータの周囲温度に代用して、ファンモータの目標回転数を設定して、回転数補正を行うことにより、ファンモータ制御の簡素化を実現しつつ、ファンモータの周囲温度の変動による回転数と設定回転数とのずれを抑えることができ、より確実に安定した冷却能力を確保した冷蔵庫を提供することができる。
【００３２】
（実施の形態２）
図３は同実施の形態の冷蔵庫制御装置のブロック図であり、本図を用いてその動作を説明する。
【００３３】
本実施の形態では、実施の形態１と同様の構成と図６に示す手順でファンモータの回転数補正を実施するが、異なる点としては、冷凍室用ファンモータ９の周囲温度検知手段３０を、冷凍室庫内温度センサ１０の代わりに、冷凍室用蒸発器温度センサ１１による検出温度で代用してファンモータの目標回転数を設定して回転数補正を行っている。これにより、庫内の負荷変動による庫内温度変動の影響を受けにくいため、庫内温度の変化率が大きい時でも、ファンモータの周囲温度の変動による回転数と設定回転数とのずれを抑えることができ、より確実に安定した冷却能力を確保した冷蔵庫を提供することもできる。
【００３４】
（実施の形態３）
図４は同実施の形態の冷蔵庫制御装置のブロック図であり、本図を用いてその動作を説明する。
【００３５】
本実施の形態では、実施の形態１と同様の構成で、冷凍室用ファンモータ９のファンモータ代用周囲温度Ｔｓを、図７の（Ｓｔｅｐ１）と（Ｓｔｅｐ１−２）に示す様に冷凍室庫内温度センサ１０によるファンモータ代用周囲温度Ｔｓ１と冷凍室用蒸発器温度センサ１１によるファンモータ代用周囲温度Ｔｓ２の２つの温度から選択する（Ｓｔｅｐ２）。選択の方法は、ドア開放時や自動霜取後の起動時などの冷凍室の庫内温度の変化率が大きい時に、冷凍室用蒸発器温度センサ１１の検知温度を選択し、それ以外の運転状態では、冷凍室庫内温度センサ１０の検出温度を用いる。それ以外のファンモータ回転数補正は実施の形態１のステップと同様なので説明は省略する。冷凍室庫内温度変動が大きい時などでも、庫内温度の変動に影響を受けにくい冷凍室用蒸発器温度センサ１１をファンモータ代用周囲温度Ｔｓと選択することで、冷凍室用ファンモータ９の周囲温度をより精度良く測定でき、ファンモータの周囲温度の変動による回転数と設定回転数とのずれを抑えることが可能になり、より確実に安定した冷却能力を確保した冷蔵庫を提供することもできる。
【００３６】
（実施の形態４）
図５は、同実施の形態の冷蔵庫制御装置の動作を説明するための冷蔵庫制御装置のブロック図であり、図８は、同実施の形態の冷蔵庫制御装置の動作を説明するためのフローチャートである。
【００３７】
図５、図８を用いてその動作を説明する。
【００３８】
図５において、温度検出手段３０は、冷凍室庫内温度センサ１０により庫内温度を検出するものである。また、ファン回転数検出手段３１は、冷凍室用ファンモータ９に内蔵されているセンサにより冷凍室用ファンモータ９の回転数を検出するものであり、ファンモータ回転数判定手段３５により、ファンモータ回転が適正な回転をしているかを判定する。ファン回転数設定手段３２は、上記検出温度から、目標となる冷凍室用ファンモータ９の回転数を設定するものである。
【００３９】
ファンモータ回転数補正演算手段３３は、冷凍室用ファンモータ９により検出された冷凍室用ファンモータ回転数とファン回転数設定手段３２により設定された所定の回転数との回転数差を演算し、所定の回転数に制御する補正値を演算するものである。この補正値を用いて、ファンモータ回転数制御手段３４によりファンモータの回転数を制御する。
【００４０】
図８において、冷蔵庫１の電源投入時、まず温度検知手段３０により、冷凍室庫内温度センサ１０の検知温度を取り込み、この検知温度を冷凍室用ファンモータのファンモータ代用周囲温度Ｔｓとする（Ｓｔｅｐ１）。次にこの冷凍室用ファンモータ代用周囲温度Ｔｓからファン回転数設定手段３２により、それぞれ所定のファン回転数指令Ｎｒを決定し（Ｓｔｅｐ３）、ファン回転数検出手段３１より冷凍室用ファンモータのファン回転数Ｎｐを検出する（Ｓｔｅｐ４）。ここでファンモータ回転数判定手段３５により、適正な回転数が検出できたかの判定を行う。判定の基準は、ファンモータの回転数が１０rps以下になった時、異常状態と判断する（Ｓｔｅｐ５）。この時、冷凍室用ファンモータ９の異常などで適正な回転数が得られなかった時、一定時間回転数の検出を待機する（Ｓｔｅｐ５−２）。回転数再検出動作とは、一定時間（３０秒）経過後、（Ｓｔｅｐ１）のファンモータ代用周囲温度Ｔｓ検知のステップ（Ｓｔｅｐ１）に戻り図９の（Ｓｔｅｐ２）、（Ｓｔｅｐ４）までの同様の処理を行うことを指す。（Ｓｔｅｐ５）の判定で適正なファン回転数Ｎｐが検出できた場合は、ファン回転数指令Ｎｒと検出した冷凍室用ファンモータの回転数Ｎｐとの回転数差ΔＮ１（＝Ｎｒ−Ｎｐ）の演算を行い（Ｓｔｅｐ７）、回転数差ΔＮ１から補正電圧値を演算し、ファンモータ回転数制御手段３４により、この電圧を常時印加することで、冷凍室用ファンモータ９の回転数を調整する（Ｓｔｅｐ８）。その後は、補正電圧値を印加し続けたままで、通常の冷蔵庫運転制御状態での制御サイクルを繰り返し実施する。
【００４１】
以上のように、本実施の形態においては、冷凍室用ファンモータ９の回転数検出が正しく行えない時、一定時間経過後に回転数再検出動作を実施することにより、制御装置の簡素化を図りつつ、再度ファンモータが正常な動作に復帰した場合などで、再度ファン回転数補正が可能になるので、ファンモータの回転数補正精度を向上させることができる。
【００４２】
また、本実施の形態の冷凍室用ファンモータ９のファン回転数Ｎｐを検知する（Ｓｔｅｐ４）処理の後に、図９に示す用に電源投入してから回転数再検出動作を一定の回数（２０回）しているかの判定処理（Ｓｔｅｐ６）を行うことにより、冷凍室用ファンモータ９の回転数検出が正しく行えない状態が続き、一定の回数以上の回転数再検出動作を行った後に、再度回転数検出を実施しても、冷凍室用ファンモータの回転が復帰できていない場合で、特に、冷凍室用ファンモータ９と温度検知手段３０によるファンモータ代用周囲温度Ｔｓとの温度差が非常に大きくなってしまうタイミングで回転数補正を行わないことが可能になる。これにより、不正規な補正電圧を冷凍室用ファンモータ９に印加しない様になるので、誤った回転数補正を防ぐこともできる。
【産業上の利用可能性】
【００４３】
以上のように、本発明にかかる冷蔵庫は、ファンモータの周囲温度を冷蔵庫庫内センサにより精密に測定することが可能になり、また、ファンモータの回転数補正制御のタイミングを効果的に行うことで、ファンモータの周囲温度の変動によるファンモータ回転数と設定回転数とのずれを抑えることができ、より確実に安定した冷却能力を確保が可能になるので、本発明は、ファンモータとファンモータの運転を制御する制御装置とを備えたショーケースなどの業務用冷蔵庫や医療用の低温保存庫等の用途にも適用できる。
【図面の簡単な説明】
【００４４】
【図１】本発明の実施の形態１における冷蔵庫の風路構造を示す側面断面図
【図２】本発明の実施の形態１における冷蔵庫制御装置のブロック図
【図３】本発明の実施の形態２における冷蔵庫制御装置のブロック図
【図４】本発明の実施の形態３における冷蔵庫制御装置のブロック図
【図５】本発明の実施の形態４および５における冷蔵庫制御装置のブロック図
【図６】本発明の実施の形態１および２における冷蔵庫の制御装置の動作を説明するためのフローチャート
【図７】本発明の実施の形態３おける冷蔵庫の制御装置の動作を説明するためのフローチャート
【図８】本発明の実施の形態４おける冷蔵庫の制御装置の動作を説明するためのフローチャート
【図９】本発明の実施の形態４おける冷蔵庫の制御装置の動作を説明するためのフローチャート
【符号の説明】
【００４５】
１    冷蔵庫本体
２    冷蔵室
３    野菜室
５    冷凍室
７    冷凍室冷却風路
８    冷凍室用蒸発器
９    冷凍室用ファンモータ
１０    冷凍室庫内温度センサ
１１    冷凍室用蒸発器温度センサ
３０    温度検知手段
３１    ファン回転数検出手段
３２    ファン回転数設定手段
３３    ファンモータ回転数補正演算手段
３４    ファンモータ回転数制御手段
３５    ファンモータ回転数判定手段
【図１】
2005156102.tif 000003
【図２】
2005156102.tif 000004
【図３】
2005156102.tif 000005
【図４】
2005156102.tif 000006
【図５】
2005156102.tif 000007
【図６】
2005156102.tif 000008
【図７】
2005156102.tif 000009
【図８】
2005156102.tif 000010
【図９】
2005156102.tif 000011